(57)【要約】【解決すべき課題】縫製前の基本的なパーツが甲部片と掌部片とに分かれているタイプの従来型ゴルフ用手袋の不具合点を解消したゴルフ用手袋を提供する。【課題を解決するための手段】縫製前の基本的な手袋パーツが掌部片１と甲部片２に分かれており、当該掌部片１と甲部片２を縫合することによって本体が形成されるゴルフ用の手袋であって、掌部片１の人指し指側下端付近を斜め下方向に延設して帯状片１３を形成し、掌部片１と甲部片２の縫合に際し、当該帯状片１３を甲部片２の表面側に重ねるようにして斜め方向に縫着するようにした。手の挿入用開口部９を閉じるアジャスター７を、前記斜行状の帯状片１３に沿って斜め上方に向けて係着できるようにした。【選択図】図３
2006334061.tif 000002
【特許請求の範囲】
【請求項１】
縫製前の基本的な手袋パーツが甲部片と掌部片に分かれており、当該甲部片と掌部片を縫合することによって本体が形成されるゴルフ用の手袋において、掌部片の人指し指側下端付近を斜め下方向に延設して帯状片を形成し、甲部片と掌部片の縫合に際し、当該帯状片を甲部片の表面側に重ねるようにして斜め方向に縫着するようにしたことを特徴とするゴルフ用手袋。
【請求項２】
手袋本体における手の挿入用開口部を閉じるアジャスターを、前記斜め方向の帯状片に沿って斜め上方に向けて係着できるようにしたことを特徴とする請求項１記載のゴルフ用手袋。
【発明の詳細な説明】
【技術分野】
【０００１】
本発明は縫製前の基本的な手袋パーツが甲部片と掌部片とに分かれており、当該甲部片と掌部片を縫合することによって本体が形成されるようになっているゴルフ用の手袋に関する。
【背景技術】
【０００２】
ゴルフ用手袋の縫製前の裁断済みボディーとしては、下記の特許文献１に示されているように、ゴルファーの手の甲部を覆うこととなる甲側領域と手のひら部を覆う掌側領域とが繋がったものを用い、小指側側縁部において両者を縫合して本体を構成するようにしたものが知られており、これによった場合は、人指し指片の親指片に向き合う側縁部に縫合糸が顕れることがなくグリップの際の障害となるようなことがない。
【０００３】
しかしながら、縫製前の裁断済みボディーとして甲側領域と掌側領域とが繋がったものを用いる場合、プレー中にゴルフクラブを頻繁にグリップする等の関係で掌側部材の方が先に劣化し、甲側部材は未だ充分使用に耐えるとしても掌側部材の劣化に伴いグリップが不完全なものとなるため全体としてのゴルフ用手袋を廃棄しなければならなくなるという問題点がある。
【０００４】
そのため、次の特許文献２に示されているように、縫製前の基本的なパーツを甲部片と掌部片とに分離してそれぞれの素材を変えられるようになし、当該甲部片と掌部片をその周縁部において縫着することによって手袋本体が形成されるようになっているタイプのものが提案されている。これによった場合は、グリップの際により多くの負荷が掛かる掌部片の素材を甲部片より耐磨耗性を有する素材を用いること等によってゴルフ用手袋全体の耐久性を向上させることができるという大きな利点を得ることができる。
【特許文献１】特開２００２−１４３３６４公報
【特許文献２】特開平１１−１８８１３０公報
【発明の開示】
【発明が解決しようとする課題】
【０００５】
縫製前の基本的なパーツが甲部片と掌部片とに分かれているタイプのゴルフ用手袋の場合、両パーツの周縁部を直接あるいは適宜襠片を介して縫合しなければならないが、ゴルフクラブを握ってスイングする際に、人指し指と親指の間の部分に縫い目があると、この縫合部分で捩じれ現象が生じて正確なスイングの妨げになるという問題点がある。
【０００６】
また、従来型ゴルフ用手袋における手の挿入用開口部を閉じるアジャスターは、ゴルファーの手首とほゞ平行する方向に引っ張って面ファスナーにより係着させるようになっていた。そのため、右手指でアジャスターを掴んで手首と平行する方向に引っ張る操作が仲々厄介であり、アジャスターの係着位置が正規の位置よりずれたりして、手袋本体の手の挿入用開口部をアジャスターによって閉じるのが不完全となり易いという問題点があった。さらに、従来のゴルフ用手袋によった場合は、ゴルファーの手首部分から甲側斜め上方向にかけて良好なフィット感を与えることができないという問題点があった。
【０００７】
そこで、本発明は縫製前の基本的な手袋パーツが甲部片と掌部片とに分かれているタイプの従来型ゴルフ用手袋の不具合点を解消し、人指し指と親指の間の部分にゴルフクラブのグリップ部と直交するような縫い目が顕れないようにして、スイングの際に、この部分での捩じれ現象を防止することができるようにすると共に、手の挿入用開口部を閉じるアジャスターを斜め上方に向けて係着できるようにして操作性を改善し、且つゴルファーの手首部分から甲側斜め方向にかけて良好なフイット感を与えることができるようになしたゴルフ用手袋を提供することを目的とするものである。
【課題を解決するための手段】
【０００８】
上記目的を達成するための本発明の構成を詳述すれば、請求項１に係る発明は、縫製前の基本的な手袋パーツが甲部片と掌部片に分かれており、当該甲部片と掌部片を縫合することによって本体が形成されるゴルフ用の手袋において、掌部片の人指し指側下端付近を斜め下方向に延設して帯状片を形成し、甲部片と掌部片の縫合に際し、当該帯状片を甲部片の表面側に重ねるようにして斜め方向に縫着するようにしたことを特徴とするゴルフ用手袋である。これによって、ゴルフ用手袋本体における人指し指と親指の間の部分にはゴルフクラブのグリップ部と直交するような縫い目が顕れず、スイングの際この部分での捩じれ現象を防止することが可能となる。
【０００９】
次に、請求項２に係る発明は、手袋本体における手の挿入用開口部を閉じるアジャスターを、前記斜め方向の帯状片に沿って斜め上方に向けて係着できるようにしたことを特徴とする請求項１記載のゴルフ用手袋であり、これによって、アジャスターを手首とほゞ平行する方向に引っ張る必要がなくなり、斜め上方への自然な係着によって手の挿入用開口部を閉じることができ、操作性が良好になると共に、ゴルファーの手首部分から甲側斜め方向にかけてきわめて良好なフィット感を与えることができる。
【発明の効果】
【００１０】
上記したように、本発明によれば、スイングの際に、人指し指と親指の間の部分に縫い目が顕れないので、この部分での捩じれ現象を防止することができると共に、アジャスターを手首とほゞ平行する方向に引っ張る必要がなく、斜め上方への自然な係着動作によって手の挿入用開口部を閉じることができ、操作性が良好になると共に、アジャスターが斜め上方に向け係着することによってゴルファーの手首部分から甲側斜め方向にかけてきわめて良好なフィット感を与えることができる。
【００１１】
なお、本発明は縫製前の基本的な手袋パーツが甲部片と掌部片とに分かれているタイプのものであるから、掌部側に耐磨耗性等の顕著な素材を用いることが可能であり、従来のゴルフ用手袋より全体として耐久性を向上させることができるのは勿論である。
【発明を実施するための最良の形態】
【００１２】
以下、図面に基づき本発明に係るゴルフ用手袋の実施形態を詳細に説明する。
【００１３】
図１は縫製前の手袋パーツのうち、掌部片、甲部片及びアジャスターの一実施形態を示す展開図であり、図２は縫製前の手袋パーツのうち、各指片の間に挿着する襠片及び親指片の一実施形態を示す展開図である。図３は本発明ゴルフ用手袋の使用状態を示すもので、アジャスターを開いたときの斜視図、図４は同アジャスターを閉じたときの斜視図である。
【００１４】
図中１はゴルファーの手のひら側を覆う掌部片であり、２はゴルファーの手の甲側を覆う甲部片である。本発明はこのように、縫製前の手袋パーツが掌部片１と甲部片２とに分かれたタイプのゴルフ用手袋を対象とするものであって、掌部片１及び甲部片２には、親指を除いた各指片、すなわち、人指し指片３、中指片４、薬指片５、小指片６がそれぞれ連設されている。
【００１５】
７は裏面に多数の係着子からなる面ファスナー８を形成してあるアジャスターであり、当該アジャスター７は甲部片２の下端部に形成してある手の挿入用開口部９の周縁に沿ってその一端縁を縫着するものである。
【００１６】
１０は前記掌部片１及び甲部片２における人指し指片３と中指片４の間、中指片４と薬指片５の間、及び薬指片５と小指片６の間にそれぞれ適用する従来と同様構成の襠片であり、１１は掌側領域の親指片、１２は甲側領域の親指片をそれぞれ示す。
【００１７】
１３は前記した縫製前の手袋パーツのうち、掌部片１における人指し指片３の下端付近を斜め下方に延設して形成した比較的広幅の帯状片である。当該帯状片１３の長手方向長さは甲部片２に設けてある手の挿入用開口部９の周縁部まで達する長さとなっている。この帯状片１３は、前記掌部片１と甲部片２の縫合に際し、甲部片２の表面側に重なるようにして斜め方向に縫着するものである。
【００１８】
このように、本発明ゴルフ用手袋における掌部片１の場合、人指し指片３の下端付近に斜め下方向に向けて帯状片１３を延設してあるので、掌部片１と甲部片２を所定の縫合ラインに沿って縫着したとき、人指し指部と親指部の間に縫い目が顕れるようなことがなく、ゴルフクラブをグリップしたとき、この部分で捩じれ現象が生じるのを有効に防ぐことができる。
【００１９】
なお、甲部片２の表面に斜め方向に縫着される帯状片１３の上面には、図３に示すようにアジャスター７に設けてある面ファスナー８に対応する他方の係着子からなる面ファスナー１４を付設してある。
【００２０】
本発明本発明ゴルフ用手袋によった場合は、掌部片１に突成した帯状片１３が甲部片２の表面側に重なるようにして斜め方向に縫着され、且つ当該斜行状の帯状片１３にアジャスター７係着用の面ファスナー１４を付設してあるので、手の挿入用開口部９を閉じるに際して、アジャスター７をゴルファーの手首と平行する方向に引っ張る必要がなく、斜め上方に自然に引くだけで面ファスナー８，１４同士を係着させることができ、スムーズな開閉操作が可能となる。また、当該アジャスター７を甲部片２の表面に係着させることによってゴルファーの手首部分から甲側斜め方向にかけてきわめて良好なフィット感を与えることができるものである。
【００２１】
以上のように、本発明の第一の特徴点は、掌部片１に斜行状に連設した帯状片１３を掌部片１と甲部片２の縫合の際に甲部片２の表面に重合的に縫着するようにしたことにあり、これによってゴルフクラブのグリップの際に、捩じれ現象が生じるのを防ぐことができる。
【００２２】
第二の特徴点は、手の挿入用開口部９を開閉するアジャスター７を、甲部片２の表面に斜行状に付設した帯状片１３に沿って斜め方向に係着できるようにしたことにあり、これによって、開閉操作が容易になると共に、手首付近から甲側斜め方向にかけて良好なフィット感をゴルファーに与えることができる。
【図面の簡単な説明】
【００２３】
【図１】縫製前の手袋パーツのうち、掌部片、甲部片及びアジャスターの一実施形態を示す展開図である。
【図２】縫製前の手袋パーツのうち、各指片の間に挿着する襠片及び親指片の一実施形態を示す展開図である。
【図３】本発明ゴルフ用手袋の使用状態を示すもので、アジャスターを開いたときの斜視図である。
【図４】同アジャスターを閉じたときの斜視図である
【符号の説明】
【００２４】
１：掌部片
２：甲部片
３：人指し指片
４：中指片
５：薬指片
６：小指片
７：アジャスター
８：面ファスナー
９：手の挿入用開口部
１０：襠片
１１：掌側領域の親指片
１２：甲側領域の親指片
１３：帯状片
１４：面ファスナー
【図１】
2006334061.tif 000003
【図２】
2006334061.tif 000004
【図３】
2006334061.tif 000005
【図４】
2006334061.tif 000006